(57)【要約】【課題】  ヘッドとＦＰＣとの間の信号伝送用配線構造部のフラッタ現象を抑制する。【解決手段】  アクチュエータ１０６は、ヘッド１０５とＦＰＣ２１０との間の信号伝送用配線構造部２３０を収容する支持部２４０を有している。配線構造部は、後端部にＦＰＣと接続を行うためのパッドが形成された幅広のタブ２３１を有している。支持部は、タブの前側端部と重なるように形成された凸状壁部２４１を有している。磁気ディスク１０１端部においては、垂直方向における気流が発生する。ヘッドが磁気ディスク内周側トラックにアクセスする場合、タブは磁気ディスク端部に近接する。凸状壁部がタブを気流に対して保護することによって、タブの揺れを防止することができる。これによって、配線構造部のフラッタを抑制し、ヘッドの位置決め精度を向上することができる。【選択図】  図５
2005203020.tif 000002
【特許請求の範囲】
【請求項１】
データを記憶し回転駆動される記憶ディスクと、前記記憶ディスクの記憶領域にアクセスするヘッドと、前記ヘッドを保持し、回動軸において回動して前記ヘッドを移動するアクチュエータと、を有するデータ記憶装置であって、
前記アクチュエータは、
前記アクチュエータの側部に沿って延びる、前記ヘッドの信号伝送を行う配線構造部と、
前記配線構造部を支持するように前記アクチュエータの側部に配置された配線構造支持部と、を備え、
前記配線構造部は、前記回動軸側に形成され前記アクチュエータの横方向に突出する凸部を備え、
前記配線構造支持部は、前記磁気ディスク端部近傍における気流から前記凸部を保護するように、前記アクチュエータの横方向に突出して前記凸部と重なる凸状壁部を備える、
データ記憶装置。
【請求項２】
前記配線構造支持部は、前記アクチュエータの横方向に突出し前記アクチュエータの側部に沿って形成された第１の壁部と、前記アクチュエータの横方向に突出し前記アクチュエータの側部に沿って形成された第２の壁部と、を備え、
前記配線構造部は、前記第１及び第２の壁部の間に配置されている、
請求項１に記載のデータ記憶装置。
【請求項３】
前記凸状壁部は前記第１の壁部に形成されており、
前記凸状壁部の前記アクチュエータの横方向の幅は、前記第１の壁部の他の部分の前記アクチュエータの横方向の幅よりも大きい、
請求項２に記載のデータ記憶装置。
【請求項４】
前記凸状壁部は前記第１の壁部に形成されており、
前記第１の壁部は、間隔をおいて形成された複数の凹部を備えている、請求項２に記載のデータ記憶装置。
【請求項５】
前記第１の壁部において、前記凸状壁部と前記アクチュエータ前側において隣接する凹部は、前記凸状壁部と所定間隔をおいて形成されている、請求項４に記載のデータ記憶装置
【請求項６】
前記データ記憶装置は、前記凸部において前記配線構造部と接続される第２の配線構造部を備え、
前記凸部は、前記第２の配線構造部と接続されている接続部を備え、
前記接続部は、前記凸状壁部の外側に露出している、
請求項１に記載のデータ記憶装置。
【請求項７】
前記接続部は、レーザ照射によって接続されており、
前記凸状壁部は、前記レーザ溶接に使用されるレーザ光を実質的に反射及び／もしくは透過する色で形成されている、
請求項６に記載のデータ記憶装置。
【請求項８】
前記データ記憶装置は、前記配線構造部と接続される第２の配線構造部を備え、
前記凸部は、前記第２の配線構造部と接続されている接続部を備え、
前記凸状壁部は透明もしくは白色である、
請求項１に記載のデータ記憶装置。
【請求項９】
前記凸部に開口が形成されており、前記凸状壁部は前記開口と重なるように形成されている、請求項１に記載のデータ記憶装置。
【請求項１０】
前記凸状壁部は、前記凸部の前側端部と重なる請求項１に記載のデータ記憶装置。
【請求項１１】
前記凸状壁部と前記凸部が重なる部分において、前記凸状壁部の前記アクチュエータの横方向の幅は、前記凸部の前記アクチュエータの横方向の幅以上である、請求項１に記載のデータ記憶装置。
【請求項１２】
データを記憶し回転駆動される記憶ディスクと、
前記記憶ディスクの記憶領域にアクセスするヘッドと、
前記ヘッドを保持するサスペンションと、
前記サスペンションと結合されたアームと、
前記アーム及びサスペンションを回動駆動する駆動機構と、
前記サスペンションと連続して形成され、前記アームの側部に沿って前記駆動機構側に延びる、前記ヘッドの信号伝送を行う配線構造部と、
前記アーム部の側部に配置された配線構造支持部と、
前記配線構造部と前記駆動機構側において接続される第２の配線構造部と、
を備え
前記配線構造支持部は、前記アームの横方向に突出し前記アーム側部に沿って形成された第１の壁部と、前記アームの横方向に突出し前記アーム側部に沿って形成された第２の壁部とを備え、
前記配線構造部は、前記第１及び第２の壁部の間に配置され、
前記配線構造部は、前記アームの横方向に突出し、前記第２の配線構造部と接続される凸部を備え、
前記第１の壁部は、前記磁気ディスクと対向する側において前記凸部と重なる凸状壁部を有する、
データ記憶装置。
【請求項１３】
前記凸部は、前記第２の配線構造部と接続されている接続部を備え、
前記接続部は、前記凸状壁部の外側に露出している、
請求項１２に記載のデータ記憶装置。
【請求項１４】
前記配線構造支持部は透明もしくは白色樹脂で形成されている、請求項１２に記載のデータ記憶装置。
【請求項１５】
データを記憶し回転駆動される記憶ディスクと、前記記憶ディスクの記憶領域にアクセスするヘッドと、前記ヘッドを保持し、回動軸において回動して前記ヘッドを移動するアクチュエータと、を有するデータ記憶装置であって、
前記アクチュエータは、
前記アクチュエータの側部に沿って延びる、前記ヘッドの信号伝送を行う配線構造部と、
前記配線構造部の接続部と前記回動軸側において接続される第２の配線構造部と、
前記アクチュエータの側部に配置され、前記配線構造部を収容するスリットを備え、前記接続部の近傍部分が透明もしく白色である配線構造支持部と、
を有する、データ記憶装置。
【請求項１６】
前記配線構支持部は有色透明の樹脂で形成されている、請求項１５に記載のデータ記憶装置。
【請求項１７】
データを記憶し回転駆動される記憶ディスクと、
前記記憶ディスクの記憶領域にアクセスするヘッドと、
前記ヘッドを保持し、回動軸において回動して前記ヘッドを移動するアクチュエータと、
前記アクチュエータの側部に沿って延びる、前記ヘッドの信号伝送を行う配線構造部と、
前記配線構造部の接続部と、前記回動軸側において、レーザ照射によって接続される第２の配線構造部と、
前記アクチュエータの側部に配置され、前記配線構造部を収容するスリットを備え、前記接続部の近傍部分が、前記レーザ溶接に使用されるレーザ光を実質的に反射もしくは透過する樹脂で形成された、配線構造支持部と、
を有する、データ記憶装置。
【請求項１８】
前記配線構造支持部は有色透明の樹脂で形成されている、請求項１７に記載のデータ記憶装置。
【発明の詳細な説明】
【技術分野】
【０００１】
本発明はデータ記憶装置に関し、特に、ヘッド信号を転送する配線構造部を支持する支持部を有するデータ記憶装置に関する。
【背景技術】
【０００２】
データ記憶装置として、光ディスクや磁気テープなどの様々な態様のメディアを使用する装置が知られているが、その中で、ハードディスク・ドライブは、コンピュータの記憶装置として広く普及し、現在のコンピュータ・システムにおいて欠かすことができない記憶装置の一つとなっている。さらに、コンピュータ・システムにとどまらず、動画像記憶再生装置、カー・ナビゲーション・システム、あるいはデジタル・カメラなどで使用されるリムーバブル・メモリなど、ハードディスク・ドライブの用途は、その優れた特性により益々拡大している。
【０００３】
ハードディスク・ドライブは、データを記憶する磁気ディスクと、磁気ディスクとの間のデータ読み出し、及び／もしくは、書き込みを行うヘッド、及び、ヘッドを磁気ディスク上の所望の位置に移動するアクチュエータを備えている。アクチュエータはボイス・コイル・モータによって駆動され、回動軸を中心として回動することによって、回転する磁気ディスク上でヘッドを半径方向に移動する。これによって、ヘッドが磁気ディスクに形成された所望のトラックにアクセスし、データの読み出し／書き込み処理を行うことができる。ヘッドは、磁気ディスクへの記憶データに応じて電気信号を磁界に変換する記録素子、及び／又は、磁気ディスクからの磁界を電気信号に変換する再生素子とを有している。また、ヘッドは、記録素子及び／又は再生素子がその面上に形成されているスライダを備えている。
【０００４】
アクチュエータは弾性を有するサスペンションを備え、ヘッドはサスペンションに固着されている。磁気ディスクに対向するヘッドのＡＢＳ（Air Bearing Surface）面と回転している磁気ディスクとの間の空気の粘性による圧力が、サスペンションによって磁気ディスク方向に加えられる圧力とバランスすることによって、ヘッドは磁気ディスク上を一定のギャップを置いて浮上することができる。サスペンションは、ヘッドを磁気ディスク対向面側で保持するジンバルと、ジンバルを磁気ディスク対向面側で保持するロード・ビームとを備えている。磁気ディスクの面振れなどを吸収するためにスライダが所定方向に傾くことができるように、ジンバルは変形可能に形成されている。
【０００５】
アクチュエータ上には、制御回路とヘッド上の素子との間の信号を転送するための中継配線が形成される。中継配線は、アクチュエータに固定される、制御回路との接続のためのＦＰＣ（Flexible Printed Circuit）に接続される。例えば、特許文献１は、アクチュエータの製造工程における作業性を改善するため、中継配線の一部をアクチュエータのアーム部に設けられた溝に挿入することを開示している。中継配線の一部は、ヘッドを保持するサスペンションに印刷された配線として構成される。その一端は、ヘッドの端子に接続される。他端は細長い中継ＦＰＣを介して、アクチュエータに固定される制御側ＦＰＣに配線される。サスペンションに印刷された配線と制御側ＦＰＣとを接続する中継ＦＰＣは、アクチュエータのアーム部の側面に設けられた溝に挿入される。これによって、配線パターンを予め形成されたサスペンションと、アクチュエータに固定されるＦＰＣとの間の配線、および、そのリペアを短時間で容易に行うことができる。
【０００６】
図１１は、その他の従来技術におけるアクチュエータの一部構成を示す平面図である。図１１において、１１０１はヘッドを保持するサスペンション、１１０２はサスペンション１１０１が接続されているアームである。典型的には、アクチュエータは、積層された複数のサスペンション及びアームを備えるが、図１１においては、一つのサスペンション１１０１及びアーム１１０２が示されている。１１０３は、ヘッドとアクチュエータに固定されるＦＰＣと間において信号を転送する中継配線が形成されている配線構造部である。配線構造部１１０３は、サスペンション１１０１の一部構成であるジンバルと一体的に形成され、金属部材上に絶縁膜と金属配線の多層構造が形成されている。配線構造部１１０３は、ＦＰＣ側端部に幅広部であるタブ１１０４が形成されている。タブ上には、半田付けによってＦＰＣとの接続を可能とする複数のパッドが形成されている。
【０００７】
１１０５は、サスペンションから延在する配線構造部を支持する支持部である。配線構造部１１０３は、上記のように薄い積層構造であるため、磁気ディスク回転によって生ずる気流の影響を受けやすい。配線構造部が気流によって揺らされる（フラッタ現象）と、その振動がヘッドに伝わり、位置決め精度を劣化させる。支持部１１０５の側部には、スリット（凹部）（不図示）が形成されており、スリット内部に配線構造部１１０３が収容され、固定される。
【０００８】
スリット内に配線構造部を収容することによって、磁気ディスクの回転によって磁気ディスク上で生ずる気流が、配線構造部１１０３に当たることを防止することができる。これによって、配線構造部１１０３のフラッタリング現象の発生を抑制し、ヘッドの位置決め精度を向上することができる。支持部１１０５は、例えば、樹脂によって構成され、アーム１１０２に固着される。あるいは、支持部１１０５に代えて、上に説明したように、アーム１１０２の側部にスリットを形成し、その中に配線構造部１１０３を挿入することによって、配線構造部１１０３のフラッタリング現象の発生を抑制することも可能である。
【０００９】
【特許文献１】特開平０９−３２０２１３号公報
【発明の開示】
【発明が解決しようとする課題】
【００１０】
上記のように、磁気ディスクの回転によって生ずる気流によって引き起こされる配線構造部のフラッタリング現象を抑制するため、配線構造部を支持するため支持部として、配線構造部を挿入するためのスリット構造を有する支持部をアクチュエータに付加し、あるいは、アクチュエータのアーム部にスリット形状を形成することが有効である。しかし、トラック・ピッチがより短くなってきているハード・ディスク・ドライブにおいて、磁気ディスク上において生ずる気流を抑制する上記スリット構造では、配線構造部のフラッタリング現象を十全に防止することができないことを発明者らは見出した。発明者らの研究によれば、磁気ディスクの回転によって磁気ディスク上において生ずる気流のみが、配線構造部のフラッタリング現象を引き起こすものではない。
【００１１】
磁気ディスクの回転によって、磁気ディスク上における気流の他、磁気ディスク端部における垂直方向（磁気ディスク回転軸方向）において、気流が発生する。複数の磁気ディスクが積層されている場合、各磁気ディスクの上の円周方向の空気の流れは一様ではなく、同一の磁気ディスク上下において同じように気流が発生しない。このため、磁気ディスク上下において圧力差が生じ、磁気ディスクの上下間で回り込むような空気の流れが誘発される。
【００１２】
図１１に示されているように、配線構造部１１０３のＦＰＣ側端部には、ＦＰＣとの接続のために幅広のタブ１１０４が形成されている。アクチュエータが磁気ディスク内周側のトラックにアクセスする場合、タブ１１０４が磁気ディスク端部に近接する。図１１のアクチュエータにおいて、タブ１１０４は支持部１１０５によってカバーされず露出されているため、タブ１１０４は磁気ディスク端部で発生する垂直方向の気流によって大きく振動することを、発明者らは見出した。特に、タブ１１０４には、サスペンション製造において位置決めのために使用される開口が形成されているため、開口を通る垂直方向の気流により、さらに大きく影響を受け、配線構造部の大きなフラッタリングが誘起される。
【００１３】
本発明は上記事情を背景としてなされたものであって、本発明の一つの目的は、ディスクへのアクセスにおけるヘッドの位置決め制度を改善することである。本発明の他の目的は、配線構造部のフラッタ現象を効果的に抑制することである。本発明の他の目的は、配線構造部のフラッタ現象を効果的に抑制するための簡便な構造を提供することである。本発明の他の目的は、回転ディスク端部における気流の影響を効果的に抑制することである。
【課題を解決するための手段】
【００１４】
本発明の第１の態様は、データを記憶し回転駆動される記憶ディスクと、前記記憶ディスクの記憶領域にアクセスするヘッドと、前記ヘッドを保持し、回動軸において回動して前記ヘッドを移動するアクチュエータと、を有するデータ記憶装置である。前記アクチュエータは、前記アクチュエータの側部に沿って延びる、前記ヘッドの信号伝送を行う配線構造部と、前記配線構造部を支持するように前記アクチュエータの側部に配置された配線構造支持部と、を備える。前記配線構造部は、前記回動軸側に形成され前記アクチュエータの横方向に突出する凸部を備える。前記配線構造支持部は、前記磁気ディスク端部近傍における気流から前記凸部を保護するように、前記アクチュエータの横方向に突出して前記凸部と重なる凸状壁部を備える。凸状壁部によって磁気ディスク回転のよる気流から凸部を保護することによって、配線構造部のフラッタ現象を効果的に抑制することができる。
【００１５】
前記配線構造支持部は、前記アクチュエータの横方向に突出し前記アクチュエータの側部に沿って形成された第１の壁部と、前記アクチュエータの横方向に突出し前記アクチュエータの側部に沿って形成された第２の壁部と、を備え、前記配線構造部は、前記第１及び第２の壁部の間に配置されていることが好ましい。これによって、より効果的に配線構造部のフラッタ現象を効果的に抑制することができる。さらに、前記凸状壁部は前記第１の壁部に形成されており、前記凸状壁部の前記アクチュエータの横方向の幅は、前記第１の壁部の他の部分の前記アクチュエータの横方向の幅よりも大きいことができる。あるいは、前記凸状壁部は前記第１の壁部に形成されており、前記第１の壁部は、間隔をおいて形成された複数の凹部を備えていることが好ましい。この構成は、配線構造支持部を樹脂成形などで形成する場合に好適である。さらに、前記第１の壁部において、前記凸状壁部と前記アクチュエータ前側において隣接する凹部は、前記凸状壁部と所定間隔をおいて形成されていることが好ましい。これによって、特に、磁気ディスク端部において生ずる垂直方向の気流による配線構造部のフラッタ現象をより効果的に抑制することができる。
【００１６】
前記データ記憶装置は前記凸部において前記配線構造部と接続される第２の配線構造部を備え、前記凸部は前記第２の配線構造部と接続されている接続部を備え、前記接続部は前記凸状壁部の外側に露出していることが好ましい。これによって、配線構造部の接続を効率的に行うことができる。さらに、前記接続部は、レーザ溶接によって接続されており、前記凸状壁部は、前記レーザ溶接に使用されるレーザ光を実質的に反射及び／もしくは透過する色で形成されている、ことが好ましい。これによって、レーザ溶接による配線構造支持部の融解を抑制することができる。
【００１７】
前記データ記憶装置は前記配線構造部と接続される第２の配線構造部を備え、前記凸部は前記第２の配線構造部と接続されている接続部を備え、前記凸状壁部は透明もしくは白色であることが好ましい。これによって、レーザ照射による配線構造支持部の融解を抑制することができる。あるいは、気流から効果的に凸部を保護する観点から、前記凸部に開口が形成されており、前記凸状壁部は前記開口と重なるように形成されていることが好ましい。もしくは、前記凸状壁部は、前記凸部の前側端部と重なることが好ましい。あるいは、前記凸状壁部と前記凸部が重なる部分において、前記凸状壁部の前記アクチュエータの横方向の幅は、前記凸部の前記アクチュエータの横方向の幅以上であることが好ましい。
【００１８】
本発明の第２の態様に係るデータ記憶装置は、データを記憶し回転駆動される記憶ディスクと、前記記憶ディスクの記憶領域にアクセスするヘッドと、前記ヘッドを保持するサスペンションと、前記サスペンションと結合されたアームと、前記アーム及びサスペンションを回動駆動する駆動機構と、前記サスペンションと連続して形成され前記アームの側部に沿って前記駆動機構側に延びる前記ヘッドの信号伝送を行う配線構造部と、前記アーム部の側部に配置された配線構造支持部と、前記配線構造部と前記駆動機構側において接続される第２の配線構造部とを備える。前記配線構造支持部は、前記アームの横方向に突出し前記アーム側部に沿って形成された第１の壁部と、前記アームの横方向に突出し前記アーム側部に沿って形成された第２の壁部とを備える。前記配線構造部は、前記第１及び第２の壁部の間に配置される。前記配線構造部は、前記アームの横方向に突出し、前記第２の配線構造部と接続される凸部を備える。前記第１の壁部は、前記磁気ディスクと対向する側において前記凸部と重なる凸状壁部を有する。凸状壁部によって磁気ディスク回転のよる気流から凸部を保護することによって、配線構造部のフラッタ現象を効果的に抑制することができる。
【００１９】
前記凸部は、前記第２の配線構造部と接続されている接続部を備え、前記接続部は、前記凸状壁部の外側に露出していることが好ましい。あるいは、前記配線構造支持部は透明もしくは白色樹脂で形成されていることが好ましい。
【００２０】
本発明の第３の態様に係るデータ記憶装置は、データを記憶し回転駆動される記憶ディスクと、前記記憶ディスクの記憶領域にアクセスするヘッドと、前記ヘッドを保持し、回動軸において回動して前記ヘッドを移動するアクチュエータと、を有する。前記アクチュエータは、前記アクチュエータの側部に沿って延びる、前記ヘッドの信号伝送を行う配線構造部と、前記配線構造部の接続部と前記回動軸側において接続される第２の配線構造部と、前記アクチュエータの側部に配置され、前記配線構造部を収容するスリットを備え、前記接続部の近傍部分が透明もしく白色である配線構造支持部と、を有する。これによって、レーザ溶接による配線構造支持部の融解を抑制することができる。さらに、前記配線構支持部は有色透明の樹脂で形成されていることが好ましい。これによって、配線構造部の位置確認が容易となり、製造工程における作業性を向上することができる。
【００２１】
本発明の第４の態様に係るデータ記憶装置は、データを記憶し回転駆動される記憶ディスクと、前記記憶ディスクの記憶領域にアクセスするヘッドと、前記ヘッドを保持し、回動軸において回動して前記ヘッドを移動するアクチュエータと、前記アクチュエータの側部に沿って延びる、前記ヘッドの信号伝送を行う配線構造部と、前記配線構造部の接続部と、前記回動軸側において、レーザ照射によって接続される第２の配線構造部と、前記アクチュエータの側部に配置され、前記配線構造部を収容するスリットを備え、前記接続部の近傍部分が、前記レーザ溶接に使用されるレーザ光を実質的に反射もしくは透過する樹脂で形成された、配線構造支持部と、を有する。これによって、レーザ照射による配線構造支持部の融解を抑制することができる。さらに、前記配線構造支持部は有色透明の樹脂で形成されていることが好ましい。これによって、配線構造部の位置確認が容易となり、製造工程における作業性を向上することができる。
【発明の効果】
【００２２】
本発明によれば、配線構造部のフラッタ現象を効果的に抑制することができる。
【発明を実施するための最良の形態】
【００２３】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。尚、各図面において、同一要素には同一の符号が付されており、説明の明確化のため、必要に応じて各要素の重複説明は省略されている。
【００２４】
図１は、本実施の形態に係るハードディスク・ドライブ１００の概略構成を示すための上面図である。図１において、１０１はデータを記憶するメディアであって、磁性層が磁化されることによってデータを記憶する不揮発性の記憶ディスクである磁気ディスクである。１０２はハードディスク・ドライブ１００の各構成要素を収容するベースである。ベース１０２は、ベース１０２の上部開口を塞ぐカバー（不図示）とガスケット（不図示）を介して固定されることによってディスクエンクロージャを構成し、ハードディスク・ドライブ１００の各構成要素を密閉状態で収容することができる。
【００２５】
１０３はスピンドル・モータ１０４に設けられているハブである。１０５は、ホスト（不図示）との間で入出力されるデータについて、磁気ディスク１０１への書き込み及び／又は読み出しを行うヘッドである。ヘッド１０５は、磁気ディスク１０１への記憶データに応じて電気信号を磁界に変換する記録素子、及び／又は、磁気ディスク１０１からの磁界を電気信号に変換する再生素子を有している。さらに、ヘッド１０５は、記録素子及び／又は再生素子がその面上に形成されているスライダを有している。
【００２６】
１０６はヘッド１０５を保持し、移動するアクチュエータである。アクチュエータ１０６は、回動軸１０７に回動自在に保持されており、キャリッジ１０８とＶＣＭ（ボイス・コイル・モータ）１０９とを備えている。キャリッジ１０８は、ヘッド１０５が配置されたその先端部から、サスペンション１１０、アーム１１１及びコイル・サポート１１２の順で結合された各構成部材を備えている。尚、キャリッジ１０８の構成については、後に詳述される。以下、アクチュエータ１０６、キャリッジ１０８及びその構成要素の説明に関し、本明細書おいて、回動軸１０７側を後側、先端部側を前側として説明される。
【００２７】
１１３はフラットコイル、１１４はベース１０２に固定された上側ステータ・マグネット保持板である。尚、上側ステータ・マグネット保持板１１４は、主要部が便宜上切り欠いて図示され、外形が破線で示されている。図示されていないが、フラットコイル１１３の下側には、上側ステータ・マグネット保持板１１４との間においてフラットコイル１１３を挟むように、下側ステータ・マグネット保持板が配置される。ＶＣＭ１０９は、フラットコイル１１３、上側ステータ・マグネット保持板１１４に固定されたステータ・マグネット（不図示）、及び下側ステータ・マグネット保持板に固定されたステータ・マグネット（不図示）を備えている。１１５は、磁気ディスク１０１の回転が停止するときには、ヘッド１０５を磁気ディスク１０１から退避させるためのランプ機構である。１１６はサスペンション１１０の先端部に形成されたタブである。尚、ヘッド１０５がデータ書き込み／読み出し処理を行わない場合に、磁気ディスク１０１の内周に配置されているゾーンに退避するＣＳＳ（Contact Start and Stop）方式に、本形態のアクチュエータ１０６を適用することも可能である。
【００２８】
尚、図１において明示されていないが、ハードディスク・ドライブ１００は、積層配置された複数の磁気ディスク１０１を備えている。ハブ１０３によって、スピンドル・モータ１０４の回転軸方向に所定の間隔で、複数の磁気ディスク１０１が一体的に保持される。典型的には、磁気ディスク両面にデータが記憶される。また、アクチュエータ１０６は、各磁気ディスク１０１の各記憶面に対応して、ヘッド１０５及びサスペンション１１０を備えている。さらに、アクチュエータ１０６は一つもしくは２つのサスペンションが結合された複数のアーム１１１を備えている。各サスペンション１１０及びアーム１１１は、所定の間隔をおいて重なる位置配置され、各アーム１１１は、一つのコイル・サポート１１２に回動軸軸受を介して固定されている。
【００２９】
磁気ディスク１０１は、ベース１０２の底面に固定されたスピンドル・モータ１０４のハブ１０３に一体的に保持され、スピンドル・モータ１０４により所定の速度で回転駆動される。ハードディスク・ドライブ１００の非動作時には、磁気ディスク１０１は静止している。回動軸１０７に回動自在に保持されたコイル・サポート１１２には、コイル・サポート・アーム１１２ａ、ｂが形成されている。コイル・サポート・アーム１１２ａ、ｂは、回動軸１０７に対してヘッド・アーム１１１と反対側において、フラットコイル１１３を保持する。ＶＣＭ１０９は、コントローラ（不図示）からフラットコイル１１３に流される駆動信号に応じて、回動軸１０７を中心としてキャリッジ１０８を回動し、磁気ディスク１０１の上にヘッド１０５を移動する、もしくは、磁気ディスク１０１の外側へヘッド１０５移動することができる。
【００３０】
磁気ディスク１０１からのデータの読み取り／書き込みのため、アクチュエータ１０６は回転している磁気ディスク１０１表面のデータ領域上空にヘッド１０５を移動する。アクチュエータ１０６が回動することによって、ヘッド１０５が磁気ディスク１０１の表面の半径方向に沿って移動する。これによって、ヘッド１０５が所望のトラックにアクセスすることができる。ヘッド１０５は、磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド１０５は磁気ディスク１０１上を一定のギャップを置いて浮上する。
【００３１】
磁気ディスク１０１の回転が停止するときには、アクチュエータ１０６はヘッド１０５をデータ領域からランプ機構１１５に退避させる。アクチュエータ１０６がランプ機構１１５の方向に回動し、アクチュエータ先端部のタブ１１６がランプ機構１１５表面上を摺動しながら移動し、ランプ機構１１５上のパーキング面に載ることにより、ヘッド１０５ドがアンロードされる。ロードのときには、パーキング面に支持されていたアクチュエータ１０６は、ランプ機構１１５から離脱して磁気ディスク１０１表面上空に移動する。
【００３２】
図２は、本発明による実施の形態において用いられるキャリッジ１０８及びキャリッジ１０８に接続されるＦＰＣ（Flexible Printed Circuits）２１０の概略構成を示す斜視図である。図２に例示されているキャリッジ１０８は、両面記憶される３枚の磁気ディスク１０１に対応した構成を備えている。キャリッジ１０８は、積層配置された４つのアーム１１１ａ−ｄ、及び積層配置された６つのサスペンション１１０ａ−ｆを備えている。各サスペンション１１０には、ヘッド１０５（不図示）が固着されている。最上段及び最下段のアーム１１１ａ、ｄのそれぞれには、１つのサスペンション１１０ａ、ｆのそれぞれが固定されている。
【００３３】
中段の各アーム１１１ｂ、ｃには、それぞれ、２つのサスペンション１１０が固定されており、アーム１１１ｂの両面のそれぞれにサスペンション１１０ｂ、ｃが固定され、アーム１１１ｃの両面のそれぞれにサスペンション１１０ｄ、ｅが固定されている。アーム１１１とサスペンション１１０とは、レーザ・スポット溶接によってあるいはスエージ加工によって接続することができる。複数のアーム１１１ａ−ｄは、回動軸軸受２２０に固定され積層配置される。アーム１１１の反対側において、回動軸軸受２２０に、コイル・サポート１１２及びフラットコイル１１３が固定されている。
【００３４】
２３０は、サスペンション１１０から延びる配線構造部である。図２において、例示的に、サスペンション１１０ａから延びる配線構造部のみが指示されている。配線構造部２３０は導体配線を備え、サスペンション１１０上に形成されヘッド１０５上の記憶及び／もしくは再生素子に接続されている導体配線と接続されている。回動軸１０７側の配線構造部２３０の他端には、アクチュエータの横方向の突出する凸状壁部としてのタブ２３１が形成されている。タブ２３１上には、ＦＰＣ２１０と接続する接続部を構成する複数のパッドが形成されている。
【００３５】
ＦＰＣ２１０において、複数本の導体リードが、互いに接触することなく、ポリイミド・フィルムによって形成された絶縁シートに一体的に形成されている。ＦＰＣ２１０は、ヘッド１０５と制御回路（不図示）との間の信号伝送を行うために、配線構造部２３０に接続される。ＦＰＣ２１０の端部はベース・プレート２１１上に固着され、ベース・プレート２１１がアクチュエータ１０６に固定される。ＦＰＣ２１１のアクチュエータ１０６側端部には複数の凸部２１２が形成されており、各凸部２１２の面上には、配線構造部２３０と接続する接続部を構成する複数のパッドが形成されている。凸部２１２の各パッドと配線構造部２３０のタブ２３１に形成された各パッドとが、半田によって接続され接続部を構成する。複数のアーム１１１ａ−ｄのそれぞれには、サスペンション１１０から延びる配線構造部２３０を収容、支持する支持部２４０ａ−ｄが配置されている。本形態において、支持部２４０はアーム１１１とは別部材によって形成され、アーム１１１に固定されている。配線構造部２３０及び支持部２４０については、後に詳述される。
【００３６】
図３は、ヘッド・ジンバル・アセンブリ３００の概略構成を示す、分解斜視図である。本形態において、ヘッド・ジンバル・アセンブリ３００は複数の構成部材によって構成されており、ヘッド１０５、サスペンション１１０、及び、アーム１１１を備えている。本形態において、サスペンション１１０は複数の構成部材によって構成されており、ジンバル３０１、ロード・ビーム３０２及びマウント・プレート３０３を備えている。また、ロード・ビーム３０２は複数の構成部材によって構成されるマルチ・ピース・タイプであり、ビーム部３０４、ベース部３０５及びヒンジ部３０６とで構成される。
【００３７】
尚、各構成要素は、複数の構成部材により、あるいは一つの構成部材によって構成することが可能である。本形態において、アクチュエータ１０６はスタックされた複数のヘッド・ジンバル・アセンブリ３００を備えており、図３は、最上段もしくは最下段のヘッド・ジンバル・アセンブリの構成に相当する。中段のヘッド・ジンバル・アセンブリにおいて、アーム１１１の上下両面のそれぞれにヘッド１０５が固着されたサスペンション１１０が結合される。
【００３８】
アーム１１１は、典型的には、ステンレス鋼もしくはアルミニウムによって形成され、エッチングによって回動軸１０７が嵌挿する開口部など、必要形状が形成される。アーム１１１の磁気ディスク１０１と対向する側の表面上に、ロード・ビーム３０２が固定される。ヒンジ部３０６は、ヘッド１０５が磁気ディスク１０１の回転によって気流から受ける浮力に対抗する負圧を与えるバネ機能を有する。ビーム部３０４はアクチュエータ１０６が回動する際に、ジンバル３０１を安定した姿勢で支持するための剛性機能を有する。ベース部３０５は、ロード・ビーム３０２をアーム１１１に固定するための強度を有する。マウント・プレート３０３には、ベース部３０５及びアーム１１１がスエージ加工、レーザ・スポット溶接によって結合される。ヒンジ部３０６は、レーザ・スポット溶接あるいは接着剤などによってビーム部３０４及ベース部３０５に結合される。
【００３９】
ジンバル３０１はステンレス鋼で形成することができ、所望の弾性を有する。ジンバル３０１の前部において、舌片状のジンバル・タング３０８が形成されている。ジンバル・タング３０８には、ヘッド１０５が低弾性エポキシ樹脂などによって固着されている。ジンバル・タング３０８の後端部にはジンバルの動きを規制するリミッタ・タブ３０７が形成されている。ジンバル・タング３０８は、ビーム部３０４のディンプル（不図示）によって一点支持される。ジンバル３０１は、レーザ・スポット溶接によってビーム部３０４に溶着することができる。ジンバル３０１の前部は溶着されておらず、自由な状態となっている。ジンバル３０１の弾性力によって、ジンバル・タング３０８はディンプルに押し当てられている。ジンバル・タング３０８は、ヘッド１０５を、ピッチ方向あるいはロール方向に回動させることができ、磁気ディスク１０１の面振れやアッセンブリに伴う傾きを吸収すると同時に、磁気ディスク１０１のトラッキングに高い追従性を発揮することができる。
【００４０】
２３０は、ジンバル３０１から連続して形成され、ジンバル３０１端部から延在する配線構造部である。ジンバル３０１上には、ヘッド１０５上の記録及び／もしくは再生素子に接続されている導体配線が形成されている。ジンバル３０１上の配線構造について説明する。ジンバル３０１の基材としてのステンレス金属層上に、ポリイミド絶縁層が形成されている。ポリイミド絶縁層上に銅による導体層が形成され、その上にポリイミド保護層が形成されている。ジンバル３０１上の配線構造は、周知のフォトリソグラフィ・エッチング技術によって形成することができる。導体層の一体は、ヘッド１０５上の薄膜素子に接続され、薄膜素子と外部回路との間の信号転送を行う。
【００４１】
配線構造部２３０はジンバル３０１の磁気ディスク１０１の回転軸と反対側の側部から、延在して形成されている。ジンバル３０１から延びる配線構造部２３０は、ロード・ビーム３０２及びアーム１１１の側部（磁気ディスク１０１中心と反対側の側部）に沿って回動軸１０７側（アクチュエータ後側）に向かって延びている。配線構造部２３０の一部は、スポット溶接によって、ベース部３０５に溶着される。本形態において、配線構造部２３０はジンバル３０１と一体的に形成されている。ジンバル３０１上の配線構造と同様に、配線構造部２３０は基材としてのステンレス金属層、金属層上のポリイミド絶縁層、ポリイミド絶縁層上導体層及びポリイミド保護層によって形成されている。配線構造部２３０の各層は、ジンバル３０１上の配線構造の対応層と連続して形成されている。尚、導体層表面の保護のために形成される保護層は、ポリイミドなどの樹脂層に代えて、金メッキなどを適用することができる。
【００４２】
配線構造部２３０の後端部（回動軸側端部）には、ＦＰＣ２１０との接続を行うための凸部であるタブ２３１が形成されている。タブ２３１の幅（アーム上面の横方向における長さ）は、タブ２３１とジンバル３０１端部との間における配線構造部よりも大きく形成されている。タブの３２１下面（アームと反対側の面）には、ＦＰＣ２１０との半田接続を可能とするための複数のパッドが形成されおり、各パッドは配線構造部２３０の各配線と接続されている。配線構造部のタブ２３１の幅が大きいことによって、ＦＰＣ２１０との接続を効果的に行うことができる。また、タブ２３１のジンバル３０１側には開口２３２が形成されている。開口２３２は、ヘッド・ジンバル・アセンブリ３００製造において、位置合わせのために利用される。
【００４３】
図２に示すように、配線構造部２３０は、アーム１１１の側部に固定されている支持部２４０のスリット（凹部）内に挿入される。配線構造部２３０がスリット内部に配置されることによって、磁気ディスク１０１の回転によって生ずる気流によって誘起されうる配線構造部２３０の揺れ（フラッタリング現象）を抑制し、ヘッド１０５の位置決め精度を向上することができる。図４は、アクチュエータ回動軸１０７方向から見た場合の、ヘッド・ジンバル・アセンブリ３００の一部構成を示す平面図である。図４は、例えば、上から２段目のヘッド・ジンバル・アセンブリ３００の構成を示している。
【００４４】
図４に示すように、配線構造部２３０は、サスペンション１１０と連続して形成され、サスペンションからアーム側部に沿って回動軸側へ延びている。支持部２４０は、磁気ディスク１０１と対抗する側において、配線構造部２３０を支持する。配線構造部２３０は、導体配線層が形成される面が、回動軸１０７に沿った方向を向くように、支持部２４０のスリット内において支持されている。特に、本形態の支持部２４０は、配線構造部２３０の回動軸側（ＦＰＣ側）端部に形成されているタブ２３１の磁気ディスク１０１と対抗する面と重なる凸状壁部２４１を有している。アクチュエータ回動軸１０７方向から見て、凸状壁部２４１はタブ２３１の少なくとも一部をカバーする。図４に示すように、凸状壁部２４１は、タブ２３１の磁気ディスク１０１との対抗面の前側端部をカバーし、特に、タブに２３１形成された開口３２２が露出しないようにタブ２３１と重なることが好ましい。これによって、気流によるタブ２３１の振動を効果的に抑制することができる。
【００４５】
タブ２３１の後端側（回動軸１０７側）は、タブ２３１とＦＰＣ凸部２１２との接続を可能とするために、凸状壁部２４１によってカバーされず、露出している。凸状壁部２４１は、前側（サスペンション１１０側）から後退しつつアーム１１１側部から離れる方向に延びる第１の辺と、第１の辺と交差してアーム１１１長手方向に延びる第２の辺と、第２の辺とほぼ垂直に交差し第２の辺からアーム側部に向かって伸びる第３の辺とを備え、凸状壁部２４１のアーム１１１側の長さよりの凸状壁部２４１の先端側長さが小さい。これによって、凸状壁部２４１を有する支持部２４０の成型を容易に行うことができる。
【００４６】
図５は、本形態の支持部によってフラッタリング現象が抑制される様子を説明する図である。図５において、各配線構造部２３０のタブ２３１が接続されるＦＰＣ２１０は示されていない。図５において、２３３は、タブ上に形成されているパッドである。説明の容易の明確化のため、一部のタブのみが指示されている。上に説明したように、磁気ディスク１０１の回転によって、磁気ディスク１０１上における気流の他、磁気ディスク１０１端部における垂直方向（磁気ディスク回転軸方向）において、気流が発生する。複数の磁気ディスク１０１が積層されている場合、各磁気ディスク１０１の上の円周方向の空気の流れは一様ではなく、同一の磁気ディスク１０１上下において同じように気流が発生しない。このため、磁気ディスク１０１上下において圧力差が生じ、磁気ディスク１０１の上下間で回り込むような空気の流れが誘発される。
【００４７】
本形態において、各アーム１１１の側部に沿って配置され、配線構造部２３０を支持する支持部２４０は、配線構造部２３０のタブ２３１をカバーする凸状壁部２４１を有している。アーム１１１のそれぞれに、支持部２４０が固定されている。また、支持部２４０は、それぞれ、凸状壁部２４１を備えている。それぞれの凸状壁部２４１の磁気ディスク１０１とは反対側に、タブ２３１が配置されている。また、一つの支持部２４０に形成された凸状壁部２４１の間にタブ２３１が配置されている。例えば、凸状壁部２４１ａはタブ２３１ａをカバーし、凸状壁部２４１ｂ、２４１ｃのそれぞれはタブ２３１ｂ、２３１ｃをカバーし、凸状壁部２４１ｄ、２４１ｅのそれぞれはタブ２３１ｄ、２３１ｅをカバーし、凸状壁部２４１ｆはタブ２３１ｆをカバーしている。
【００４８】
各凸状壁部２４１は、各配線構造部のタブ２３１の磁気ディスク１０１との対向面の少なくとも一部をカバーするように形成されている。特に、凸状壁部２４１はタブ２３１の磁気ディスク側端部（前側端部）、あるいは、タブ２３１に形成された位置決め用開口２３２が露出しないようにカバーすることが好ましい。磁気ディスク端部近傍において、垂直方向の気流が大きくいため、タブ２３１の磁気ディスク側端部が磁気ディスク１０１との対向面側で露出しないことにより、配線構造部２３０のフラッタリング現象を効果的に抑制することができる。また、タブ２３１をカバーする凸状壁部２４１の幅（アーム長手方向と垂直な方向（アームの横方向）における長さ）は、タブ２３１の幅以上であることが好ましい。これによって、タブ２３１のアーム１１１と反対側の端部が、磁気ディスク半径方向において凸状壁部２４１から外に露出しないため、気流によって誘起されうるタブ２３１及び配線構造部２３０の揺れを効果的に抑制することができる。タブ２３１と凸状壁部２４１が重なり、気流に対してタブ２３１をカバーすることによって、特に、アクチュエータ１０６が磁気ディスク１０１の内周側のトラックにアクセスする場合に、垂直方向の気流によって配線構造部２３０がゆれることを効果的に抑制することができる。
【００４９】
図６及び７は、本形態における支持部２４０の構成を示している。図６は、支持部２４０の構成を示す斜視図であり、図７は、支持部２４０のスリット開口側（支持部２４０のアーム１１１とは反対側）から見た支持部２４０の構成を示す側面図である。本形態において、各アーム１１１に固定される支持部２４０は、一体的に形成されている。支持部２４０は好ましくは樹脂材料によって形成され、アーム１１１に接着剤などによって固着される。支持部２４０を樹脂材料によって形成することによって、複雑な形状を有する支持部２４０を容易に形成することができ、また、配線構造部２３０の金属層と支持部２４０との接触によって生成される塵埃を抑制することができる。
【００５０】
各支持部２４０は、アーム１１１の長手方向に延びる複数の壁部を備えている。各壁部は所定間隔をおいて形成されており、壁部の間には、配線構造部２３０を収容する長手方向に延びるスリット（凹部）が形成されている。本例において、各支持部２４０は、中央において長手方向に延びる中央壁部６２０、中央壁部の片側もしくは両側において長手方向に延びる外側壁部６３０を備えている。中央壁部６２０と外側壁部６３０の間において、スリットが形成されている。外側壁部６３０の幅（スリット深さ方向の長さ）は中央壁部６２０の幅よりも大きい。
【００５１】
各外側壁部６３０は、後側（回動軸側）に、外側壁部６３０の他の凸状壁部よりも幅の大きい凸状壁部２４１を備えている。各外側壁部６３０は、長手方向において断続的に凹部（孔）６３１が形成されている。各外側壁部６３０が凹部を有することによって、樹脂成形に使用される金型の強度を向上することができる。外側壁部６３０の凹部は、凸状壁部２４１に隣接した位置（アクチュエータ１０６の前側の隣接位置）あるいは凸状壁部２４１近傍において形成されておらず、所定間隔をおいて凹部が形成されている。凸状壁部２４１に連続して壁部を形成する凸状壁部が形成されていることによって、アクチュエータ１０６が磁気ディスク内周側のトラックにアクセスする場合に、磁気ディスク１０１上から外れた位置において、磁気ディスク１０１端部における垂直方向の気流に配線構造部２３０がさらされることを防止し、フラッタリング現象を効果的に抑制することができる。最上段もしくは最下段に形成されている支持部２４０ａ、ｄは、一つの配線構造部２３０を収容するために一つのスリットを備え、磁気ディスク１０１と対向する側に外側壁部６３０を有し、他方の外側壁部は有してない。
【００５２】
他の中段支持部２４０ｂ、ｃは、アーム上下面の両面に結合される２つのサスペンション１１０に対応する２つの配線構造部２３０を収容するための２つのスリットを有しており、一つの中央壁部６２０と２つの外側壁部６３０を有している。各支持部２４０において、外側壁部６３０に形成された凹部がオーバーラップしないように、各凹部は長手方向にずれた配置において形成されている。これによって、凹部を有することによって発生しうる、気流に起因する配線構造部２３０の振動を効果的に抑制することができる。尚、支持部２４０は、後側（回動軸１０７側）端部に、ＦＰＣ２１０と係合するピン２４２を有している。ピン２４２は、ＦＰＣ２１０の凹部と係合することによって、ＦＰＣ２１０の位置決めに寄与することができる。
【００５３】
図８は、図７において、ＡＡ´、ＢＢ´、ＣＣ´で示された部分の構成を説明するための断面図であり、配線構造部２３０がスリットに挿入された状態を示している。図８（ａ）、（ｂ）、（ｃ）のそれぞれが、ＡＡ´、ＢＢ´、ＣＣ´に対応する。図８（ａ）は外側壁部６３０の凹部と凸部が対向する部分、図８（ｂ）は外側壁部６３０の凸部と凸部が対向する部分、図８（ｃ）は外側壁部６３０の凸状壁部２４１と凸状壁部２４１が対向する部分に対応する。図８においては、中段支持部２４０ｂあるいは２４０ｃの一つに配線構造部２３０が配置されている状態を示している。図８に示すように、中央及び外側壁部６２０、６３０のそれぞれは、各壁部と垂直方向に形成されている基壁部６４０によって一体化されている。外側壁部６３０と中央壁部６２０が基壁部６４０から突出し、基壁部６４０がスリットの底部を形成する。配線構造部２３０の厚み（回動軸１０７方向の長さ）は、スリット幅（回動軸方向の長さ）と実質的にほぼ同一、もしくは、わずかに小さい値である。本形態において、製造における作業性の観点から配線構造部２３０はスリット内に挿入されているのみである。しかし、配線構造部２３０を固着部材などによって固着すること、あるいはスリット内に凸部を形成し、それによって配線構造部２３０を挟持することなども可能である。
【００５４】
図９は、本発明を適用したハードディスク・ドライブと従来のハードディスク・ドライブとの間において、配線構造部のフラッタリングを比較した図である。図９において、Ｙ軸はフラッタ量、Ｘ軸は製作されたハードディスク・ドライブのそれぞれの番号（ヘッド番号（Ｈｄ））を示している。各Ｈｄ番号のハードディスク・ドライブについて、従来構造のアクチュエータを備えた３台のハードディスク・ドライブと、本発明のアクチュエータを備えた３台のハードディスク・ドライブとを用意し、それぞれのフラッタが測定された。グラフ上段の３つのラインは従来の構成のハードディスク・ドライブであり。下段の３つのラインは本発明の構成のハードディスク・ドライブである。フラッタは、５−８ｋＨｚの周波数について測定が行われた。図９から理解されるように、本発明を適用することによって、配線構造部のフラッタリングをほぼ半分もしくはそれ以下に低減することができた。
【００５５】
図１０は、配線構造部のタブ２３１とＦＰＣの凸部２１２との接続状態を示す図である。ＦＰＣ凸部２１２の端部に形成されているパッドと、タブ２３１の凸部２１２との対向面に形成されたパッドとが半田よって接続され、接続部８１０を形成している。ＦＰＣ凸部２１２の間には、一つの支持部材２４０に支持されている２つの配線構造部のタブ２３１が挿入、配置され、各タブ２３１の凸部２１２との対向面に形成されたパッドとＦＰＣ凸部２１２の対応端部に形成されているパッドとが半田によって接続されている。
【００５６】
配線構造部のタブ２３１の４つのパッドとＦＰＣ凸部２１２の４つのパッドのそれぞれは、レーザ・スポット溶接によって溶接される。レーザ・スポット溶接において、典型的には、４つのパッドを同時にレーザ照射することによって溶接する。例えば、４つのパッドが略四角のレーザ・スポット内に含まれる。このとき、スポット溶接の精度の観点から、４つのパッドを含む領域よりもスポット領域は大きく設定されることある。また、本形態のように位置決めピン２４２が形成されている場合、レーザ照射によるその融解を避けるため、レーザ光は支持部側（アクチュエータ先端側）にずらして照射されることが好ましい。このため、レーザ光の一部が支持部２４０の一部、特に配線構造部のタブ２３１をカバーする凸状壁部２４１に照射される。
【００５７】
従来の支持部２４０は黒色樹脂によって形成されていた。このため、溶接時にレーザ照射された支持部２４０の部分がレーザ・エネルギーを吸収し、熱によって融解してしまうことを発明者らは見出した。特にタブ２３１をカバーする凸状壁部２４１が融解することによって、磁気ディスク垂直方向の気流によるフラッタリング現象を適切に抑制することができなってしまう。発明者らは、支持部２４０の樹脂材料の色を適切に選択することによって、溶接のためのレーザ照射によっても支持部２４０の融解を抑制することができることを見出した。
【００５８】
レーザ溶接に使用される波長の光（可視光及びそれ以外の波長を含む）を実質的に透過、もしくは実質的に反射する色の樹脂材料によって支持部２４０を形成することによって、レーザ照射による支持部２４０の融解を効果的に抑制することができる。支持部２４０は、好ましくは、透明もしくは白色である。透明は、無色透明及び有色透明を含む。また、本明細書においては、無色透明も樹脂材料の色の一つとして扱われる。特に好ましくは、支持部２４０の色として、有色透明が適用される。支持部２４０が有色透明であることによって、製造工程における支持部２４０のスリットへの配線構造部２３０の挿入作業を効率化することができる。これは、支持部２４０が有色透明であるので、スリット位置と配線構造部２３０の配置位置を作業者が容易に確認することができるからである。
【００５９】
又、支持部２４０の樹脂材料として、成形性あるいは耐熱性の観点から、適切な材料が選択される。例えば、好ましい材料の一つとして、有色透明なポリエーテルイミド樹脂を使用することができる。支持部２４０の融解防止の観点からは、支持部２４０全てが特定色である必要はなく、レーザ照射される部分、あるいは、特に配線構造タブ２３１をカバーする凸状壁部２４１のみを特定色で形成することが可能である。また、支持部２４０の融解防止の観点からは、タブ２３１をカバーするための凸状壁部２４１を有していない支持部２４０の形成のために、上記特定色の樹脂材料を使用することが可能である。
【００６０】
尚、樹脂材料のよって形成された支持部２４０に代えて、上に説明したように、金属材料で形成されたアーム１１１の側部にスリットを形成し、その中に配線構造部２３０を挿入することによって、配線構造部２３０のフラッタリング現象の発生を抑制することも可能である。このようなアーム一体型の支持部においても、上記のように配線構造部２３０のタブ２３１をカバーする凸状壁部２４１が形成される。また、本発明のアクチュエータ構造は、複数のヘッド・ジンバル・アセンブリがスタックされた構成に限定されず、一つのヘッド・ジンバル・アセンブリを備えるアクチュエータに適用することが可能である。尚、本発明は磁気記憶装置に限らず、他の形態の記憶装置に適用することができる。
【図面の簡単な説明】
【００６１】
【図１】本実施形態における、ハードディスク・ドライブの概略構成を示す、平面図である。
【図２】本実施形態における、アクチュエータの構成を説明する斜視図である。
【図３】本実施形態における、ヘッド・ジンバル・アセンブリの概略構成を示す分解斜視図である。
【図４】本実施形態における、アクチュエータの一部構成を示す平面図である。
【図５】本実施形態における、磁気ディスク回転によって生ずる垂直方向の気流とアクチュエータの構成との関係を示す図である。
【図６】本実施形態における、支持部の構成を示す斜視図である。
【図７】本実施形態における、支持部の構成を示す側面図である。
【図８】本実施形態における、支持部の構成を示す断面図である。
【図９】本発明のアクチュエータと従来のアクチュエータとの間において、配線構造部のフラッタ量を比較するグラフである。
【図１０】本実施形態における、配線構造部とＦＰＣの接続部示す図である。
【図１１】従来の技術におけるアクチュエータの構成を示す、平面図である。
【符号の説明】
【００６２】
１００  ハードディスク・ドライブ、１０１  各磁気ディスク、１０１  磁気ディスク、１０２  ベース、１０３  ハブ、１０４  スピンドル・モータ、１０５  ヘッド、
１０６  アクチュエータ、１０７  アクチュエータ回動軸、１０７  回動軸、
１０８  キャリッジ、１１０  サスペンション、１１１  アーム、
１１２  コイル・サポート、１１２ａ  コイル・サポート・アーム、
１１３  フラットコイル、１１４  上側ステータ・マグネット保持板、
１１５  ランプ機構、１１６  タブ、２０２  ジンバル、２０３  ロード・ビーム、
２１１  ベース・プレート、２１２  凸部、２２０  回動軸軸受、２２２  規制開口、
２２３  凸状壁部、２２７  リミッタ・タブ、２３０  配線構造部、２３１  タブ、
２３２  開口、２４０  支持部、２４１  凸状壁部、２４２  位置決めピン、
３００  ヘッド・ジンバル・アセンブリ、３０１  ジンバル、３０２  ロード・ビーム、
３０３  マウント・プレート、３０４  ビーム部、３０５  ベース部、
３０６  ヒンジ部、３０８  ジンバル・タング、６２０  中央壁部、６３０  外側壁部、
６４０  基壁部、８１０  接続部、１１０１  サスペンション、１１０２  アーム、
１１０３  配線構造部、１１０４  タブ、１１０５  支持部
【図１】
2005203020.tif 000003
【図２】
2005203020.tif 000004
【図３】
2005203020.tif 000005
【図４】
2005203020.tif 000006
【図５】
2005203020.tif 000007
【図６】
2005203020.tif 000008
【図７】
2005203020.tif 000009
【図８】
2005203020.tif 000010
【図９】
2005203020.tif 000011
【図１０】
2005203020.tif 000012
【図１１】
2005203020.tif 000013